(57)【要約】【課題】機器内光源の光の表出又はその光によるシルエットの表出によりイルミネーションを実現する。【解決手段】光源と、導光拡散部と、選択透光部と、選択遮光部とを備える。光源は、単一又は複数の何れでもよく、導光拡散部は、前記光源の光を導光し拡散させる。また、選択透光部は、外光を反射し又は外光の通過を抑制し、前記導光拡散部から導かれる光を透過させる。選択遮光部は、光を選択的に遮光し、光を選択的に透過させる。これにより、前記拡散導光部から導かれた光の表出又は光によるシルエットを表出させ、イルミネーションを実現する。【選択図】図２
2011060594.tif 000002
【特許請求の範囲】
【請求項１】
単一又は複数の光源と、
前記光源の光を導光し拡散させる導光拡散部と、
外光を反射し又は外光の通過を抑制し、前記導光拡散部から導かれる光を透過させる選択透光部と、
を備え、前記導光拡散部から導かれた光を前記選択透光部に表出させることを特徴とする、イルミネーションユニット。
【請求項２】
更に、光を選択的に透過し又は遮光する選択遮光部と、
を備え、前記選択遮光部の光透過又は遮光により前記選択透光部にシルエットを表出させることを特徴とする、請求項１に記載のイルミネーションユニット。
【請求項３】
前記光源は、前記選択遮光部の遮光側に設置されたことを特徴とする、請求項２に記載のイルミネーションユニット。
【請求項４】
単一又は複数の光源と、
筐体の表面部に設置され、前記光源の光を導光し拡散する導光拡散部と、
外光を反射し又は外光の通過を抑制し、前記導光拡散部から導かれた光を透過させる選択透光部と、
を備え、前記導光拡散部から導かれる光を前記筐体の表面部に表出させることを特徴とする、機器。
【請求項５】
光源の光を導光し拡散させる導光拡散部を形成する工程と、
外光を反射し又は外光の通過を抑制し、前記導光拡散部から導かれた光を透過させる選択透光部を形成する工程と、
を含むことを特徴とする、機器の製造方法。
【発明の詳細な説明】
【技術分野】
【０００１】
本発明は、携帯電話機等の各種機器のイルミネーションに関し、例えば、内部光源の光を用いたイルミネーションユニット、機器及びその製造方法に関する。
【背景技術】
【０００２】
携帯電話機等の携帯機器では外装パネル等の外装部材に装飾が施され、その装飾に光源が利用されている。また、装飾パネルを交換して装飾を変更する場合もある。このような装飾は、製品のデザイン性や商品価値（商品力）の向上に寄与するものである。
【０００３】
このような装飾に関し、筐体に着脱自在に取り付けられた外装パネルに、筐体側の発光手段から光を入射させ、外装パネルにある透光表示パターンを表示するものが知られている（例えば、特許文献１）。
【０００４】
また、携帯機器の本体部にイルミネーションケースが着脱自在に取り付けられ、筐体側にある光源の光によりイルミネーションケースを発光させるものや、本体部に形成された透孔から発光させるものが知られている（例えば、特許文献２）。
【先行技術文献】
【特許文献】
【０００５】
【特許文献１】特開２００２−１２５０１６号公報
【特許文献２】ＵＳＰ６４３５６９０
【発明の概要】
【発明が解決しようとする課題】
【０００６】
ところで、携帯機器における光源を用いた装飾では、部分的に輝度むらが生じ、光源中心が輝点として現出する等の現象が装飾品質を低下させるという課題がある。また、機器の本体部に導光デバイスによるイルミネーション機能の付加（特許文献２）やケース穴より光を放射させるものでは、機器とは別の導光デバイスの装着が必要であったり、また、装置に設けた導孔や光源の配置が必要であり、部品点数が多くなるという課題がある。
【０００７】
そこで、本開示のイルミネーションユニット、機器又はその製造方法の目的は、機器内光源の光を導いて光の表出やシルエットにより、イルミネーションを実現することにある。
【課題を解決するための手段】
【０００８】
上記課題を解決するため、本開示のイルミネーションユニット、機器又はその製造方法は、光源の光を導光、拡散させ、その光を表出させ、又はその選択透過よってシルエットを表出させることにより、イルミネーションを生成させる。
【０００９】
上記課題を解決するため、本開示のイルミネーションユニットは、光源と、導光拡散部と、選択透光部とを備える。光源は、単一又は複数の何れでもよく、導光拡散部は、前記光源の光を導光し拡散させる。また、選択透光部は、外光を反射し又は外光の通過を抑制し、前記導光拡散部から導かれる光を透過させる。これにより、前記導光拡散部から導かれた光を前記選択透光部に表出させる。
【００１０】
上記課題を解決するため、本開示の機器は、既述のイルミネーションユニットを備えている。即ち、光源と、導光拡散部と、選択透光部とを備える。
【００１１】
上記課題を解決するため、本開示の機器の製造方法は、導光拡散部の形成工程と、選択透光部の形成工程とを含んでいる。前記導光拡散部の形成工程では、光源の光を導光し拡散させる導光拡散部を形成する。選択透光部の形成工程では、外光を反射し又は外光の通過を抑制し、前記導光拡散部から導かれた光を透過させる選択透光部を形成する。
【発明の効果】
【００１２】
本開示のイルミネーションユニット又は機器によれば、次のような効果が得られる。
【００１３】
(1) 光源の光を導光拡散して導き、その光又はその光のシルエットを表出させてイルミネーションを生成することができる。
【００１４】
(2) 光源の光を導光拡散して導くので、光源数を抑制でき、イルミネーション効率を高めることができる。
【００１５】
(3) 光源の光を導光拡散して導くので、機器から均等な光を表出させることができ、イルミネーションの質を高めることができる。
【００１６】
また、本開示の機器の製造方法によれば、イルミネーションを構成する部品点数や部品構成を簡素化でき、製造コストを低減できる。
【００１７】
そして、本発明の他の目的、特徴及び利点は、添付図面及び各実施の形態を参照することにより、一層明確になるであろう。
【図面の簡単な説明】
【００１８】
【図１】第１の実施の形態に係るイルミネーションユニットの一例を示す図である。
【図２】第２の実施の形態に係るイルミネーションユニットの一例を示す図である。
【図３】シルエットを示す図である。
【図４】第３の実施の形態に係るイルミネーションユニットの一例を示す図である。
【図５】第４の実施の形態に係る携帯電話機の一例を示す図である。
【図６】シルエットを表出させた携帯電話機を示す図である。
【図７】表示側筐体部を分解した携帯電話機を示す分解斜視図である。
【図８】回路基板を示す図である。
【図９】透視して表示側筐体部を示した図である。
【図１０】ケース部を示す図である。
【図１１】背面側から見たケース部を示す図である。
【図１２】ＬＥＤと透光部とを重ねて示した図である。
【図１３】図１０のXIII−XIII線断面図である。
【図１４】図１０のXIV −XIV 線断面図である。
【図１５】図１０のXV−XV線断面図である。
【図１６】図５のXVI − XVI線断面図である。
【図１７】発光形態を示す斜視図である。
【図１８】イルミネーションを示す図である。
【図１９】シルエットを示す図である。
【図２０】携帯電話機のハードウェアを示す図である。
【図２１】第５の実施の形態に係る、携帯電話機の製造方法の一例を示すフローチャートである。
【図２２】各工程の処理の一例を示す図である。
【図２３】第６の実施の形態に係る携帯電話機を示す断面図である。
【図２４】発光形態を示す斜視図である。
【図２５】第７の実施の形態に係る、携帯電話機の製造方法の一例を示すフローチャートである。
【図２６】各工程の処理の一例を示す図である。
【図２７】第８の実施の形態に係る携帯電話機を示す分解斜視図である。
【図２８】図２７のXXVIII−XXVIII線断面図である。
【図２９】図２７のXXIX−XXIX線断面図である。
【図３０】前面側から見た外装パネル部を示す図である。
【図３１】背面側から見た外装パネル部を示す図である。
【図３２】図３０のXXXII −XXXII 線断面図である。
【図３３】携帯電話機の断面図である。
【図３４】発光形態を示す斜視図である。
【図３５】イルミネーションの生成を示す図である。
【図３６】第９の実施の形態に係る、携帯電話機の製造方法の一例を示すフローチャートである。
【図３７】各工程の処理の一例を示す図である。
【図３８】他の実施の形態に係るイルミネーションユニットを示す図である。
【図３９】他の実施の形態に係る、ＬＥＤと透光部の位置関係の変形例を示す図である。
【図４０】他の実施の形態に係る携帯電話機を示す図である。
【図４１】パーソナルコンピュータを示す図である。
【図４２】一部を切り欠いたケース部を示す図である。
【図４３】携帯情報端末機を示す図である。
【発明を実施するための形態】
【００１９】
〔第１の実施の形態〕
【００２０】
第１の実施の形態は、外光を反射し又は外光の通過を抑制する選択透光部と、光を導光し拡散させる導光拡散部とを備え、光源の光を導光拡散部の導光拡散を経て選択透光部より表出させる構成である。光源の光を受けて導光拡散する導光拡散部から均等な光を発する状態（発光状態）を呈し、この発光状態が選択透光部から表出される。
【００２１】
この第１の実施の形態について、図１を参照する。図１は、第１の実施の形態に係るイルミネーションユニットの一例を示す図である。図１に示す構成は一例であって、斯かる構成に本発明が限定されるものではない。
【００２２】
このイルミネーションユニット２Ａは、発光状態のイルミネーションを表出させる構造であって、図１に示すように、光源４と、導光拡散部６Ａと、選択透光部８Ａとを備える。
【００２３】
光源４は、発光手段の一例であって、この実施の形態では、単一であるが、複数であってもよい。この光源４は、発光手段であればよく、例えば、ＬＥＤ（Light Emitting Diode）で構成すればよい。この光源４を点灯させると、光源４から発せられた光１０は導光拡散部６Ａに照射され、導光拡散部６Ａに入射する。
【００２４】
導光拡散部６Ａは、光１０を導き、その光１０を屈折、反射により拡散させる導光手段及び光拡散手段であるとともに、光拡散によって光１０を発する発光手段の一例であって、例えば、平板部材で構成され、導光材料として例えば、アクリルが用いられる。導光材料としては、アクリル以外の合成樹脂や硝子を用いてもよい。
【００２５】
選択透光部８Ａは、外光１２を反射し又は外光１２の通過を遮断するとともに、導光拡散部６Ａに導かれた光１０を通過させる選択透光手段である。この選択透光部８Ａには例えば、ハーフミラーを用いればよいが、ミラーである必要はなく、光１０を透過することが可能な着色塗料等で構成してもよい。外光１２を反射させる場合には金属膜等のミラーで構成すればよい。
【００２６】
斯かる構成とすれば、次のようなイルミネーションが実現される。
【００２７】
(1) 光源４を点灯させた場合
【００２８】
光源４を発した光１０は導光拡散部６Ａに入射する。導光拡散部６Ａに入射した光１０は、導光拡散部６Ａ内で屈折、反射等を繰り返して拡散し、その拡散により導光拡散部６Ａが発光する。この場合、導光拡散部６Ａでは光１０が十分に拡散されるので、均等な発光状態となる。このような発光状態を呈する導光拡散部６Ａから光１０を受けた選択透光部８Ａは、均等な光１０を表出し、これにより、イルミネーションが生成される。即ち、外部から選択透光部８Ａを見ると、導光拡散部６Ａの発光状態が視認でき、輝いて見える。
【００２９】
この場合、光１０の屈折、反射等によって拡散し、発光状態を呈する導光拡散部６Ａとともに、選択透光部８Ａの選択透光性により、導光拡散部６Ａの背面側にある光源４等の部材が隠蔽状態となる。即ち、選択透光部８Ａの外部から光源４の存在や位置を確認することができない状態となる。この結果、光源４の発光点が隠蔽されることになり、その発光点が視認されるいわゆる目玉状態を防止できる。
【００３０】
また、導光拡散部６Ａに拡散剤を混入させた透明樹脂を用いれば、樹脂内の拡散剤が光１０の拡散を促進させ、導光拡散部６Ａをより均等に発光させることができる。導光拡散部６Ａを着色をすれば、光の色や輝度をコントロールすることも可能である。
【００３１】
(2) 光源４を消灯させた場合
【００３２】
光源４を消灯させると、導光拡散部６Ａへの光１０の入射が解除され、選択透光部８Ａから光１０の表出が停止される。この場合、導光拡散部６Ａの内側が暗くなるが、外光１２が選択透光部８Ａで反射し、又はその透過が抑制される。これにより、選択透光部８Ａは不透明化し、外部から選択透光部８Ａの裏面側を視認することができない。従って、消灯時にも、外部から導光拡散部６Ａや光源４の存在又はその位置を確認することができない。
【００３３】
このような第１の実施の形態によれば、導光拡散部６Ａの光拡散により、導光拡散部６Ａや選択透光部８Ａを均等に発光させることができる。また、導光拡散部６Ａで光拡散が得られるので、発光むらや発色むらの発生を防止できるとともに、光源４を最小限の個数や光量に抑制することができる。
【００３４】
〔第２の実施の形態〕
【００３５】
第２の実施の形態は、第１の実施の形態の導光拡散部と選択透光部との間に選択遮光部を備えることにより、導光拡散部で導光と光拡散とを行わせ、選択遮光部を通過した光により、選択透光部に選択遮光部のシルエットを表出させる構成である。
【００３６】
この第２の実施の形態について、図２及び図３を参照する。図２は、第２の実施の形態に係るイルミネーションユニットの一例を示す図、図３は、シルエットを示す図である。図２及び図３に示す構成は一例であって、斯かる構成に本発明が限定されるものではない。図２及び図３において、図１と同一部分には同一符号を付してある。
【００３７】
このイルミネーションユニット２Ｂでは、外面部にシルエットのイルミネーションを表出させる構造であって、図２に示すように、光源４と、導光拡散部６Ｂと、選択透光部８Ｂと、選択遮光部１４Ａとを備える。光源４は第１の実施の形態と同一であるので、その説明を省略する。
【００３８】
導光拡散部６Ｂは第１の実施の形態の導光拡散部６Ａに対応し、選択透光部８Ｂは第１の実施の形態の選択透光部８Ａに対応し、同様の機能を備える。
【００３９】
選択透光部８Ｂは、外光１２を反射し又は外光１２の通過を遮断するとともに、導光拡散部６Ｂに導かれた光１０を通過させる選択透光手段である。この選択透光部８Ｂは、既述の選択透光部８Ａと同様に例えば、ハーフミラーを用いればよいが、ミラーである必要はなく、光を透過することが可能な着色塗料等で構成してもよい。外光１２を反射させる場合には金属膜等のミラーで構成すればよい。
【００４０】
選択遮光部１４Ａは、光を選択的に透過させ又は遮光する選択遮光手段（又は選択透光手段）であって、遮光部１６と、透光部１８とを備える。遮光部１６は、光を遮断する部分であり、透光部１８は光を透過する部分である。このような遮光部１６と透光部１８とにより、特定のシルエットを表出させるための表示パターンが形成されている。
【００４１】
この実施の形態では、透光部１８に既述の選択透光部８Ｂを備えているが、透光部１８を単に空洞部としてもよい。
【００４２】
斯かる構成とすれば、次のようなイルミネーションが実現される。
【００４３】
(1) 光源４を点灯させた場合
【００４４】
光源４を発した光１０は導光拡散部６Ｂに入射する。導光拡散部６Ｂに入射した光１０は、導光拡散部６Ｂ内で屈折、反射を繰り返して拡散し、その拡散により導光拡散部６Ｂを発光させる。この場合、導光拡散部６Ｂでは光１０が十分に拡散されるので、均等な発光状態となることは第１の実施の形態と同様である。
【００４５】
このような発光状態を呈する導光拡散部６Ｂから均等な光１０が選択遮光部１４Ａの透光部１８から選択透光部８Ｂに入射するが、選択遮光部１４Ａの遮光部１６では、光１０の通過が阻止され、イルミネーションが生成される。この場合、導光拡散部６Ｂ及び選択遮光部１４Ａの透光部１８から光１０が選択透光部８Ｂに入り、図３に示すように、選択遮光部１４Ａのシルエット２０が表出する。このシルエット２０には、選択遮光部１４Ａの透光部１８に対応して明部２２、遮光部１６に対応して暗部２４が生じる。
【００４６】
この場合、導光拡散部６Ｂでは、光の屈折、反射等を経て光の拡散が行われているので、シルエット２０の明部２２から選択透光部８Ｂの裏面側の部材を透視できない。即ち、光源４は発光時、選択透光部８Ｂの外部から光源４の存在や位置を確認することはできない隠蔽状態となる。
【００４７】
また、この実施の形態においても、導光拡散部６Ｂに拡散剤を混入させた透明樹脂を用いれば、樹脂内の拡散剤によって光１０の拡散を促し、導光拡散部６Ｂを均等に発光させることができる。また、導光拡散部６Ｂを着色をすれば、光の色や輝度をコントロールすることも可能である。
【００４８】
(2) 光源４を消灯させた場合
【００４９】
光源４を消灯させると、導光拡散部６Ｂへの光１０の入射が解除され、選択透光部８Ｂから光１０の表出が停止される。これにより、導光拡散部６Ｂの内側が暗くなるが、外光１２は選択透光部８Ｂで反射し、又はその透過が阻止されるので、選択透光部８Ｂが不透明化する。従って、消灯時にも、外部から選択透光部８Ｂの裏面側を視認することができない。即ち、導光拡散部６Ｂ又は光源４の存在やその位置を確認することができない。
【００５０】
〔第３の実施の形態〕
【００５１】
第３の実施の形態は、第１の実施の形態の選択透光部の背面側に光を透過させる導光部材を設置し、この導光部材の背面側に光を透過させ又は遮光する選択遮光部を備え、この選択遮光部の背面側に導光拡散部を備える。斯かる構成により、選択透光部に遮光又は透過によって選択遮光部のシルエットを表出させる。
【００５２】
この第３の実施の形態について、図４を参照する。図４は、第３の実施の形態に係るイルミネーションユニットの一例を示す図である。図４に示す構成は一例であって、斯かる構成に本発明が限定されるものではない。図４において、図１と同一部分には同一符号を付してある。
【００５３】
このイルミネーションユニット２Ｃでは、外面部にシルエットのイルミネーションを表出させる構造であって、図４に示すように、光源４と、導光拡散部６Ｃと、選択透光部８Ｃと、選択遮光部１４Ｂと、導光部材１５とを備える。光源４は第１の実施の形態と同一であるので、その説明を省略する。
【００５４】
また、導光拡散部６Ｃは、光源４からの光１０を受け、その光１０を屈折、反射により拡散させる導光手段及び光拡散手段であるとともに、光拡散によって光１０を発する発光手段の一例であって例えば、平板部材で構成され、導光材料として例えば、アクリルが用いられる。導光材料としては、アクリル以外の合成樹脂や硝子を用いてもよい。
【００５５】
選択透光部８Ｃは、外光１２を反射し又は外光１２の通過を遮断するとともに、導光拡散部６Ｃに導かれた光１０を通過させる選択透光手段である。この選択透光部８Ｃは、既述の選択透光部８Ａと同様である。
【００５６】
選択遮光部１４Ｂは、光を選択的に遮光又は光透過をさせる手段であって、既述の遮光部１６と、透光部１８とを備える。遮光部１６は光を遮断する部分であり、透光部１８は光を透過する部分である。このような遮光部１６と透光部１８とにより、特定のシルエットを表出させる表示パターンが形成されている。
【００５７】
また、導光部材１５は、導光手段の一例であって、選択遮光部１４Ｂの透光部１８から透光させた光１０を拡散させることなく、選択透光部８Ｃ側に導く手段である。この場合、この導光部材１５は、選択遮光部１４Ｂや選択透光部８Ｃを支持する支持手段として機能する部分であってもよい。
【００５８】
斯かる構成とすれば、次のようなイルミネーションが実現される。
【００５９】
(1) 光源４を点灯させた場合
【００６０】
光源４を発した光１０は導光拡散部６Ｃに入射する。導光拡散部６Ｃに入射した光１０は、導光拡散部６Ｃ内で屈折、反射を繰り返して拡散する。これにより、導光拡散部６Ｃは発光状態を呈する。この導光拡散部６Ｃから均等な光１０が選択遮光部１４Ｂの光透過部１８から導光部材１５に入射する。また、選択遮光部１４Ｂの遮光部１６は光の通過を阻止する。
【００６１】
発光状態にある導光拡散部６Ｃの光１０を選択遮光部１４Ｂの透光部１８から受けた導光部材１５は、その光１０を導光する。この結果、選択透光部８Ｃには選択遮光部１４Ｂによってシルエット２０（図３）が表出する。このシルエット２０は、図３に示すように、選択遮光部１４Ｂの透光部１８に対応して明部２２、遮光部１６に対応して暗部２４が生じる。
【００６２】
この場合も同様に、導光拡散部６Ｃでは、光の屈折、反射等を経て光の拡散が行われているので、シルエット２０の明部２２から選択透光部８Ｃの裏面側の部材を透視できない。即ち、光源４は隠蔽状態となり、発光時、選択透光部８Ｃの外部から光源４の存在や位置を確認することはできない点は既述の通りである。
【００６３】
また、この実施の形態においても、導光拡散部６Ｃに拡散剤を混入させた透明樹脂を用いれば、樹脂内の拡散剤によって光１０の拡散を促し、導光拡散部６Ｃを均等に発光させることができる。また、導光拡散部６Ｃや、導光部材１５を着色すれば、光の色や輝度をコントロールすることも可能である。
【００６４】
(2) 光源４を消灯させた場合
【００６５】
光源４を消灯させると、導光拡散部６Ｃへの光１０の入射が解除され、選択透光部８Ｃから光１０の表出が停止される。この場合、導光拡散部６Ｃの内側が暗くなるが、外光１２は選択透光部８Ｃで反射し、又はその透過が阻止される。これにより、選択透光部８Ｃは不透明化し、外部から選択透光部８Ｃの裏面側を視認することができない。従って、消灯時にも、選択透光部８Ｃの外部から導光拡散部６Ｃ又は光源４の存在やその位置を確認することができない。
【００６６】
このように第３の実施の形態においても、第２の実施の形態と同様に、イルミネーションが得られる。また、導光拡散部６Ｃの光拡散により、導光拡散部６Ｃ、選択透光部８Ｃを均等な発光状態にすることができる。また、導光拡散部６Ｃで光拡散が得られるので、均一な発光状態が得られ、明部２２（図３）での発光むらや発色むらの発生を防止できるとともに、光源４を最小限の個数や光量に抑制することができる。
【００６７】
〔第４の実施の形態〕
【００６８】
第４の実施の形態は、携帯電話機の外装部材にイルミネーションユニット２Ｂ（第２の実施の形態）を備えた構成である。
【００６９】
この第４の実施の形態について、図５、図６及び図７を参照する。図５は、背面側から見た携帯電話機の一例を示す図、図６は、シルエットを表出させた携帯電話機の一例を示す図、図７は、表示側筐体部からケース部を分離した分解斜視図である。図５ないし図７に示す構成は一例であって、斯かる構成に本発明が限定されるものではない。
【００７０】
この携帯電話機４０は本開示のイルミネーションユニット、機器及びその製造方法の一例であって、外装ケース部にイルミネーションを生成する。この携帯電話機４０は、図５に示すように、第１の筐体部としてキーボード側筐体部４２と、第２の筐体部として表示側筐体部４４とを備え、ヒンジ部４６によって開閉可能である。表示側筐体部４４の背面部には背面側外装部材としてケース部４８Ａが備えられている。
【００７１】
ケース部４８Ａは、第１のエリア部５０と、第２のエリア部５２と、第３のエリア部５４と、第４のエリア部５６とに区分され、各エリア部５０、５２、５４、５６の境界を表す境界部５８、６０が形成されている。エリア部５４には、表示窓部としてサブディスプレイ部６２が形成され、このサブディスプレイ部６２は例えば、透明又は半透明の窓部である。
【００７２】
このケース部４８Ａの背面側には、既述の光源４として複数のＬＥＤ６４ａ、６４ｂ、６４ｃ・・・６４ｌ（図７）が配置されている。そこで、これらＬＥＤ６４ａ、６４ｂ、６４ｃ・・・６４ｌが点灯すると、ケース部４８Ａのエリア部５０には、図６に示すように、複数のシルエット２０ａ、２０ｂ、２０ｃ・・・２０ｏを表出させることができる。この場合、エリア部５２、５４も有色発光し、例えば、紫色で発光する。従って、シルエット２０ａ、２０ｂ、２０ｃ・・・２０ｏの表出及び発光により、イルミネーションが生成される。
【００７３】
各ＬＥＤ６４ａ、６４ｂ、６４ｃ・・・６４ｌは、図７に示すように、表示側筐体部４４に設置された回路基板６８に配設されている。各ＬＥＤ６４ａ、６４ｂ、６４ｃ・・・６４ｌには例えば、同一発光量の素子が用いられ、回路基板６８の平坦部に配置されている。また、ＬＥＤ６４ａ、６４ｂ、６４ｃ・・・６４ｌのそれぞれの発光点とケース部４８Ａの内面との距離が同一又はほぼ同一に設定される。このようにすれば、シルエット２０ａ、２０ｂ、２０ｃ・・・２０ｏの発光量を一定にすることができ、また、制御によって所望の発光量を設定することもできる。
【００７４】
また、回路基板６８には、ＬＣＤ（Liquid Crystal Display）表示器７０が設置されている。ＬＣＤ表示器７０は、表示素子の一例であって、その表示面７２がサブディスプレイ部６２の位置に対応している。
【００７５】
これらＬＥＤ６４ａ、６４ｂ、６４ｃ・・・６４ｌの駆動や、ＬＣＤ表示器７０の表示制御は、キーボード側筐体部４２に設置された制御部によって行われる。そこで、回路基板６８から引き出されたフレキシブルケーブル７４はヒンジ部４６を介してキーボード側筐体部４２に導かれ、このフレキシブルケーブル７４の端部にあるコネクタ７６（図８）、キーボード側筐体部４２側の制御部に接続される。
【００７６】
〔ＬＥＤ６４ａ、６４ｂ、６４ｃ・・・６４ｌの配置〕
【００７７】
ＬＥＤ６４ａ、６４ｂ、６４ｃ・・・６４ｌの配置と、透光部１８ａ、１８ｂ、１８ｃ・・・１８ｏの位置関係について、図８及び図９を参照する。図８は、回路基板の一例を示す図、図９は、ケース部を透視した表示側筐体部を示す図である。
【００７８】
ＬＥＤ６４ａ、６４ｂ、６４ｃ・・・６４ｌは、図８に示すように、例えば、１２素子が７行５列のマトリックス状に配置されている。この場合一例として、第１行にＬＥＤ６４ａ、第２行にＬＥＤ６４ｂ、６４ｃ、６４ｄ、第３行にＬＥＤ６４ｅ、６４ｆ、第４行にＬＥＤ６４ｇ、６４ｈ、６４ｉ、第５行にＬＥＤ６４ｊ、第６行にＬＥＤ６４ｋ、最終行の第７行にＬＥＤ６４ｌが配置されている。各行の配置位置は互いに千鳥状に規則的に配置されている。また、回路基板６８の縁部側に設置されている各ＬＥＤ６４ｄ、６４ｉ、６４ｋは他のＬＥＤに対して直交配置となっている。
【００７９】
このように配置したＬＥＤ６４ａ、６４ｂ、６４ｃ・・・６４ｌは、図９に示すように、これらの発光によってシルエット２０ａ、２０ｂ、２０ｃ・・・２０ｏを表出させる透光部１８ａ、１８ｂ、１８ｃ・・・１８ｏと位置関係が異なっている。即ち、遮光部１６側にＬＥＤ６４ａ、６４ｂ、６４ｃ・・・６４ｌが配置されている。隣接する各行のＬＥＤ６４ａ、６４ｂ、６４ｃ・・・６４ｌのそれぞれの間隔は一致してもよいし、異なってもよい。従って、各ＬＥＤ６４ａ、６４ｂ、６４ｃ・・・６４ｌにより、均等に発光するシルエット２０ａ、２０ｂ、２０ｃ・・・２０ｏが表出される。即ち、ＬＥＤ６４ａ、６４ｂ、６４ｃ・・・６４ｌの設置数は、シルエット２０ａ、２０ｂ、２０ｃ・・・２０ｏを表出させる透光部１８ａ、１８ｂ、１８ｃ・・・１８ｏの数（この場合、１５）より少ない。
【００８０】
〔ケース部４８Ａ〕
【００８１】
次に、ケース部４８Ａについて、図１０、図１１、図１２、図１３、図１４及び図１５を参照する。図１０は、ケース部を示す図、図１１は、背面側から見たケース部を示す図、図１２は、ＬＥＤの配置及び透光部を示す図、図１３は、図１０のXIII−XIII線断面図、図１４は、図１０のXIV −XIV 線断面図、図１５は、図１０のXV−XV線断面図である。
【００８２】
ケース部４８Ａは、図１０に示すように、長方形状であって、エリア部５０、５２、５４、５６に区分され、各エリア部５０、５２、５４、５６間を区分するため、その境界を表す境界部５８、６０が形成されている。各エリア部５０〜５６は、面積及び形状を異ならせているが、同一形状でもよいし、各面積も同一でもよいし、その区分数や面積設定は任意である。また、境界部５８、６０は直線線状、屈曲線又は帯状でもよいし、溝や突部であってもよいし、エリア部５０、５２、５４、５６を区分する段差であってもよい。
【００８３】
エリア部５０は、既述の選択透光部８Ｂ及び選択遮光部１４Ａの透光部１８（図２）に相当し、例えば、ハーフミラー構成であって、その表面色は黒色である。エリア部５２、５４は、既述の選択遮光部１４Ａ（図２）の遮光部１６に相当し、半透明の着色部であって、特定色として例えば、紫色に着色されている。また、エリア部５６は光を透過させない遮光部であって、特定色として例えば、金色である。このエリア部５６には光を透過させない金属箔を貼着してもよい。
【００８４】
ケース部４８Ａには図１１に示すように、ケース本体部７８Ａが備えられており、このケース本体部７８Ａは既述の導光拡散部６Ｂ（図２）を構成し、例えば、透明な合成樹脂の成形体である。このケース本体部７８Ａには周回する段部８０が形成され、この段部８０の内側には、境界部５８、６０（図１０）に対応する立壁部８２、８４が形成されている。これら段部８０及び立壁部８２、８４はケース本体部７８Ａに一体に形成されている。段部８０には、接着手段を介して表示側筐体部４４が接合される。また、ケース本体部７８Ａは段部８０及び立壁部８２、８４を備えたことにより、その強度が高められ、ケース部４８Ａの強化に寄与する。また、ケース本体部７８Ａの角隅部にはケース本体部７８Ａを表示側筐体部４４に固定するための固定部８６が形成されている。ケース本体部７８Ａの固定部８６に表示側筐体部４４の固定部７９（図７）がねじ等を用いて固定される。
【００８５】
エリア部５０には、既述のシルエット２０ａ、２０ｂ、２０ｃ・・・２０ｏを生成するための複数の透光部１８ａ、１８ｂ、１８ｃ・・・１８ｏとともに遮光部１６が形成されている。これら透光部１８ａ、１８ｂ、１８ｃ・・・１８ｏに対し、ＬＥＤ６４ａ、６４ｂ、６４ｃ・・・６４ｌが図１２に示すように、異なる位置に配置されている。また、エリア部５４には、サブディスプレイ部６２に対応する透光窓部９２が形成されている。
【００８６】
また、エリア部５０、５４について、図１３及び図１４を参照すると、エリア部５０にはケース本体部７８Ａの表面部に選択遮光部１４Ａが形成され、この選択遮光部１４Ａには、既述の透光部１８ａ、１８ｂ、１８ｃ・・・１８ｏと、既述の遮光部１６とが形成されている。これら透光部１８ａ、１８ｂ、１８ｃ・・・１８ｏ及び遮光部１６は、抜き印刷、塗装又は蒸着によって形成すればよい。この選択遮光部１４Ａの外面には、ハーフミラー部９６が形成され、このハーフミラー部９６は既述の選択透光部８Ｂに対応する。このハーフミラー部９６は、外光１２（図２）を遮断するとともに、ケース本体部７８Ａの発光状態を表出させる手段の一例である。このハーフミラー部９６は、例えば、ハーフミラー蒸着によって形成され、外見上黒色を成している。
【００８７】
エリア部５４には、ケース本体部７８Ａの上面部に半透明部９８が形成されている。半透明部９８は、蒸着や印刷等による着色層である。また、このエリア部５４には、図１４に示すように、ケース本体部７８Ａの上面部に既述の透光窓部９２が形成されている。この透光窓部９２は、塗装や印刷等により透明な樹脂層で形成されている。
【００８８】
また、エリア部５２、５６について、図１５を参照すると、エリア部５２にはケース本体部７８Ａの上面部に半透明部１００が形成され、エリア部５６には遮光部１０２が形成されている。半透明部１００は、半透明部９８と同様に蒸着や印刷等による着色層である。
【００８９】
〔イルミネーションユニット２Ｂ及びイルミネーションの生成〕
【００９０】
次に、携帯電話機４０のイルミネーションユニット及びイルミネーションの生成について、図１６、図１７、図１８及び図１９を参照する。図１６は、図５のXVI −XVI 線断面図、図１７は、発光形態を示す斜視図、図１８は、イルミネーションを示す図、図１９は、生成されたシルエットを示す図である。
【００９１】
携帯電話機４０は、既述のケース部４８Ａを備え、図１６に示すように、既述のイルミネーションユニット２Ｂが実現される。このようなイルミネーションユニット２Ｂを備えた携帯電話機４０では、図１７に示すように、ＬＥＤ６４が発光すると、その光１０がケース本体部７８Ａに入射する。ＬＥＤ６４は、既述のＬＥＤ６４ａ、６４ｂ、６４ｃ・・・６４ｌに対応する。
【００９２】
このケース本体部７８Ａは既述の通り、導光拡散部６Ｂ（図２）を構成しているから、図１８に示すように、光１０が屈折、反射を繰り返しながら導光され、拡散してケース本体部７８Ａを発光させる。この発光状態により、光１０が選択遮光部１４Ａの透光部１８を通過し、遮光部１６で遮断される。透光部１８を通過した光１０は、ハーフミラー部９６から携帯電話機４０の外部に放出される。透光部１８は、既述の透光部１８ａ、１８ｂ、１８ｃ・・・１８ｏに対応する。
【００９３】
この結果、エリア部５０には、選択遮光部１４Ａの透光部１８と遮光部１６とにより、図１９に示すように、シルエット２０ａ、２０ｂ、２０ｃ・・・２０ｏが表出し、イルミネーションが生成される。この場合、シルエット２０ａ、２０ｂ、２０ｃ・・・２０ｏは、その中心部には明部１０８、その周辺部に放射状に明部１１０とともに暗部１１２が形成されている。
【００９４】
各明部１０８、１１０はＬＥＤ６４ａ、６４ｂ、６４ｃ・・・６４ｌの発光中心から異なる位置にある。このような位置関係に対し、光１０が屈折、反射を繰り返しながら導光され、拡散してケース本体部７８Ａが均一な発光状態となるので、明部１０８及び明部１１０は均一な明るさで発光し、各シルエット２０ａ、２０ｂ、２０ｃ・・・２０ｏは均一な明るさで表出し、イルミネーションが生成される。
【００９５】
〔携帯電話機４０のハードウェア〕
【００９６】
携帯電話機４０のハードウェアについて、図２０を参照する。図２０は、携帯電話機のハードウェアを示す図である。図２０に示す構成は一例であって、斯かる構成に本発明が限定されるものではない。図２０において、図８と同一部分には同一符号を付してある。
【００９７】
この携帯電話機４０では、既述のＬＥＤ６４ａ、６４ｂ、６４ｃ・・・６４ｌがＬＥＤドライバ１１３に接続されて駆動される。このＬＥＤドライバ１１３はＣＰＵ（Central Processing Unit ）１１４に接続され、このＣＰＵ１１４によって駆動制御が行われる。ＣＰＵ１１４は、ＯＳ（Operating System）やアプリケーションプログラムを実行するとともに、ＬＥＤ６４ａ、６４ｂ、６４ｃ・・・６４ｌの発光制御や、通信制御等、各種機能部の制御手段の一例である。
【００９８】
この携帯電話機４０には、既述のＬＣＤ表示器７０、メイン表示器１１６、無線通信部１１８、操作入力部１２０、メモリ１２２、音声入出力部１２４が備えられている。メイン表示器１１６は、表示側筐体部４４の前面側に設置される表示手段の一例であって、ＣＰＵ１１４により制御され、画像や文字が表示される。無線通信部１１８は、ＣＰＵ１１４によって制御され、基地局との無線通信等に用いられる無線通信手段であって、アンテナ１２６を備え、無線信号の送受、呼制御に基づく通話やデータ通信を行う。操作入力部１２０は、操作による文字入力や、各種制御入力に用いられ、文字キーやカーソルキー、決定キー等を備える。
【００９９】
メモリ１２２は、プログラムやデータの記憶手段の一例であって、プログラム記憶部｛ＲＯＭ（Read-Only Memory）｝１２８、データ記憶部１３０、ＲＡＭ（Random-Access Memory）１３２を備え、記録媒体によって構成する。プログラム記憶部１２８は、ＯＳや各種プログラムを格納する手段である。データ記憶部１３０にはデータが記憶され、ＲＡＭ１３２は、ワークエリアとして用いられる。
【０１００】
音声入出力部１２４は音声信号の入出力手段であって、マイクロフォン１３４及びレシーバ１３６を備え、マイクロフォン１３４からの音声信号が入力され、レシーバ１３６から音声を再生する。
【０１０１】
そこで、この携帯電話機４０では、音声着信やメール着信の場合、その着信を契機にＬＥＤ制御出力がＣＰＵ１１４から発せられる。これを受けたＬＥＤドライバ１１３から駆動出力が各ＬＥＤ６４ａ、６４ｂ、６４ｃ・・・６４ｌに加えられ、各ＬＥＤ６４ａ、６４ｂ、６４ｃ・・・６４ｌが発光する。この発光により、既述のイルミネーションユニット２Ｂを以てシルエット２０ａ、２０ｂ、２０ｃ・・・２０ｏが表出し、イルミネーションが生成される。
【０１０２】
上記した第４の実施の形態について、特徴事項、利点又は変形例等を列挙する。
【０１０３】
(1) 携帯電話機４０等の携帯機器の外装部材に光１０によるイルミネーションを生成させ、着信表示や携帯電話機４０の外観装飾が高められ、商品性の向上を図ることができる。光源としてのＬＥＤ６４ａ、６４ｂ、６４ｃ・・・６４ｌの光１０を導光拡散して導き、その光１０又はその光１０のシルエットを表出させてイルミネーションを生成することができ、イルミネーション効率や、その質を高めることができる。
【０１０４】
(2) イルミネーションユニットが既存の外装ケース部材である透明樹脂を用い、その表面部又は裏面部にハーフミラー仕様（又は遮光）の塗装又は印刷を行って実現できる。光源にはＬＥＤ等の内部発光の光を用いることができ、ケース内部からケース外面側の透明樹脂部に入射させ、その光を導光させ、ケース部の一部又は全部を発光させることができる。
【０１０５】
(3) ケース部４８Ａに導光手段又は拡散手段の機能を持つ導光拡散部６Ｂの機能を付加すればよく、イルミネーションのために別デバイスを付加することなく、ケース部材を均等な光で発光させ、イルミネーションを生成できる。導光拡散部６Ｂを設置して光１０を導光拡散させているので、ＬＥＤ等の発光モジュールの発光光量を効率的に利用できる。従って、シルエットの発光箇所毎にＬＥＤを配置する必要がない。
【０１０６】
(4) 導光拡散部６Ｂにはケース用樹脂等、透明樹脂を用いることができ、その樹脂内に拡散剤を混入させれば均等な発光が得られる。また、着色をすれば、光の色や輝度をコントロールも可能である。
【０１０７】
(5) ケース部４８に均等に発光するシルエットを表出させることができ、外観デザインに優れた携帯電話機４０等の携帯機器を提供できる。
【０１０８】
(6) この実施の形態では、ケース本体部７８Ａの導光、拡散機能により均等にケース本体部７８Ａを発光させることができ、シルエットを表出させる透光部１８ａ、１８ｂ、１８ｃ・・・１８ｏの数に対し、発光モジュールを構成するＬＥＤの設置数を抑制できる。この結果、ＬＥＤ等の部品点数を抑制でき、構成の簡素化により携帯電話機等の各種機器の組立性を高めることができる。
【０１０９】
(7) ケース本体部７８Ａの導光、拡散機能により均等にケース本体部７８Ａを発光させることができ、外観部を均等に光らせることができ、輝度むら、特に光源の中心が輝点となる現象を防止でき、イルミネーションの品質を高めることができる。
【０１１０】
(8) この実施の形態では、ケース部４８Ａが単一構成であり、別パネルを用いていないので、部品点数を抑制できる。しかも、防水構造や取付構造を簡素化でき、隙間部分を抑制できるので、静電気の侵入を防止できる。
【０１１１】
(9) ケース部４８Ａに透明樹脂を使用し、その表面又は裏面にハーフミラー部９６を塗装等によって形成できる。このような構成では、光源として表示側筐体部４４にＬＥＤ６４ａ、６４ｂ、６４ｃ・・・６４ｌを内蔵させ、その光１０をケース部４８Ａ内に入射させてくまなく導光、拡散させ（導光・拡散機能）、ケース部４８Ａを光らせることができる。
【０１１２】
〔第５の実施の形態〕
【０１１３】
第５の実施の形態は、携帯電話機４０（図５〜図２０）の製造方法である。
【０１１４】
この第５の実施の形態について、図２１及び図２２を参照する。図２１は、携帯電話機の製造方法を示すフローチャート、図２２は、製造工程の処理の一例を示す図である。
【０１１５】
この製造工程には、図２１に示すように、ケース本体部７８Ａの形成工程（ステップＳ１１）、選択遮光部１４Ａの形成工程（ステップＳ１２）、ハーフミラー部９６の形成工程（ステップＳ１３）、組立工程（ステップＳ１４）が含まれる。
【０１１６】
Ａ）ケース本体部７８Ａの成形工程（ステップＳ１１）
【０１１７】
このケース本体部７８Ａの形成工程では、図２２の（Ａ）に示すように、導光性材料として透明な例えば、アクリル等の合成樹脂を成形し、ケース本体部７８Ａを形成する。このケース本体部７８Ａは一体成形加工により形成し、その形状は図１１に示した通りである。導光性材料である樹脂内には、光を拡散させる拡散剤を混入させれば、光拡散性を高めることができ、均等に発光させることができる。また、ケース本体部７８Ａは、樹脂に着色材料を混入させ、有色化すれば、発光色や発光輝度を調整できる。
【０１１８】
Ｂ）選択遮光部１４Ａの形成工程（ステップＳ１２）
【０１１９】
この選択遮光部１４Ａの形成工程では、図２２の（Ｂ）に示すように、遮光材料を用いてケース本体部７８Ａの外表面部に選択遮光部１４Ａを形成する。遮光材料は、遮光インク、遮光塗料、金属等の遮光性を備えたものであればよい。遮光インクであれば印刷により、遮光塗料であれば塗装により、金属であれば蒸着等の処理を行えばよい。このように、選択遮光部１４Ａを形成することにより、ケース本体部７８Ａの表面部には複数の透光部１８と、遮光部１６とが形成される。透光部１８は、透光部１８ａ、１８ｂ、１８ｃ・・・１８ｏに対応する。即ち、透光部１８により光を透過し、遮光部１６で光を遮光する。即ち、選択遮光部１４Ａの形成はケース本体部７８Ａに光選択性を付与する処理である。
【０１２０】
Ｃ）ハーフミラー部９６の形成工程（ステップＳ１３）
【０１２１】
このハーフミラー部９６の形成工程は、図２２の（Ｃ）に示すように、透明材料を用いてケース本体部７８Ａの外表面部にある選択遮光部１４Ａの表面層にハーフミラー部９６（８Ｂ）を形成する。このハーフミラー部９６は、外光を反射し又は外光の通過を抑制し、ケース本体部７８Ａから導かれた光を透過させる機能層であるとともに、表面保護層を構成する。外光を反射するとともに、ケース本体部７８Ａからの光を透過させる場合には、ハーフミラー部９６はハーフミラー材料の塗装又は印刷を行えばよい。この場合、ハーフミラー部９６に対応する表面層は、光を抑制する機能で十分であるから、着色塗料の印刷し又は塗装した有色層であってもよい。
【０１２２】
以上述べた工程Ａ）、Ｂ）及びＣ）によりケース部４８Ａが形成される。
【０１２３】
Ｄ）組立工程（ステップＳ１４）
【０１２４】
この組立工程では、表示側筐体部４４の背面部にケース部４８Ａを取り付け、携帯電話機４０を組み立てる。表示側筐体部４４には予め回路基板６８が設置され、この回路基板６８には既述のＬＥＤ６４が設置されている。各ＬＥＤ６４は透光部１８に対応しない位置として遮光部１６側に配置されている。ＬＥＤ６４は、既述のＬＥＤ６４ａ、６４ｂ、６４ｃ・・・６４ｌに対応する。
【０１２５】
このような組立を経て携帯電話機４０が製造される。この携帯電話機４０には、ＬＥＤ６４の発光と、ケース部４８Ａに選択遮光部１４Ａの透光部１８と遮光部１６の光選択性とにより、既述のシルエット２０ａ、２０ｂ、２０ｃ・・・２０ｏを表出させてイルミネーションを生成させることができる。また、この製造方法によれば、イルミネーションを構成する部品点数や部品構成を簡素化でき、製造コストを低コスト化できる。
【０１２６】
〔第６の実施の形態〕
【０１２７】
第６の実施の形態は、携帯電話機の外装部材にイルミネーションユニット２Ａ（第１の実施の形態）を備えた構成である。
【０１２８】
この第６の実施の形態について、図２３及び図２４を参照する。図２３は、第６の実施の形態に係る携帯電話機を示す断面図、図２４は、発光形態を示す斜視図である。図２３及び図２４において、図１、図５ないし図１８と同一部分には同一符号を付してある。
【０１２９】
この第６の実施の形態の携帯電話機４０にはケース部４８Ｂが用いられている。このケース部４８Ｂは、既述の第１の実施の形態（図１）のイルミネーションユニット２Ａを構成したものである。このケース本体部７８Ｂは既述の導光拡散部６Ａ（図１）に相当する。このケース本体部７８Ｂの表面部には、一様にハーフミラー部１３８が形成されている。このハーフミラー部１３８は、例えば、透明樹脂で形成されたケース本体部７８Ｂの外面側表面層にハーフミラー材料を塗装又は印刷により形成する。この実施の形態では、光源であるＬＥＤ６４及びケース部４８Ｂによってイルミネーションユニット２Ａが構成される。その他の構成は、第４の実施の形態と同様であるので、図２３に同一符号を付し、その説明を省略する。
【０１３０】
斯かる構成とすれば、ＬＥＤ６４を発光させると、図２４に示すように、その光１０がケース本体部７８Ｂに入り、屈折、反射を繰り返して拡散し、ケース本体部７８Ｂが発光状態となる。この発光状態がハーフミラー部１３８を通してケース部４８Ｂの表面に表出し、イルミネーションを生成させる。
【０１３１】
このようなケース部４８Ｂによれば、ケース本体部７８Ｂが光１０を導光して拡散し、発光状態となるので、ＬＥＤ６４の設置数を最小限にして効率的なイルミネーションを実現することができる。また、光むらやＬＥＤ６４の発光点が輝点として表出することを防止できる。また、ハーフミラー部１３８によって外光１２の通過を防止でき、内部構造の透視を防止できる。
【０１３２】
〔第７の実施の形態〕
【０１３３】
第７の実施の形態は、第６の実施の形態に示す携帯電話機４０（図２３、図２４）の製造方法である。
【０１３４】
この第７の実施の形態について、図２５及び図２６を参照する。図２５は、製造工程を示すフローチャート、図２６は、製造工程の処理の一例を示す図である。図２５及び図２６に示す構成は一例であって、斯かる構成に本発明が限定されるものではない。
【０１３５】
この製造工程には、図２５に示すように、ケース本体部７８Ｂの形成工程（ステップＳ２１）、ハーフミラー部１３８の形成工程（ステップＳ２２）及び組立工程（ステップＳ２３）が含まれる。
【０１３６】
Ａ）ケース本体部７８Ｂの成形工程（ステップＳ２１）
【０１３７】
このケース本体部７８Ｂの形成工程では、図２６の（Ａ）に示すように、導光性材料として透明な例えば、アクリル等の合成樹脂を成形し、ケース本体部７８Ｂを形成する。この形成工程は、第５の実施の形態と同様であるので、その説明を省略する。
【０１３８】
Ｂ）ハーフミラー部１３８の形成工程（ステップＳ２２）
【０１３９】
このハーフミラー部１３８の形成工程では、図２６の（Ｂ）に示すように、ハーフミラー材料を用いてケース本体部７８Ｂの外表面部に塗装又は印刷によりハーフミラー部１３８を形成する。ハーフミラー材料には、光反射膜に光透過性を持たせる材料であればよく、例えば、金属を用いればよい。このハーフミラー材料を塗布、印刷又は蒸着等の処理によりケース本体部７８Ｂの表面層にハーフミラー部１３８を形成する。これにより、ケース部４８Ｂが得られる。
【０１４０】
Ｃ）組立工程（ステップＳ２３）
【０１４１】
この組立工程では、図２６の（Ｃ）に示すように、表示側筐体部４４の背面部にケース部４８Ｂを取り付け、携帯電話機４０を組み立てる。表示側筐体部４４には予め回路基板６８が設置され、この回路基板６８には既述のＬＥＤ６４が設置されている。これによりイルミネーションユニット２Ａが構成される。
【０１４２】
このような組立を経て携帯電話機４０が製造される。この携帯電話機４０では、ＬＥＤ６４の発光と、ケース本体部７８Ｂの導光拡散による発光状態と、ハーフミラー部１３８の光透過性により、その発光状態がハーフミラー部１３８から表出される。即ち、この発光状態の表出により、イルミネーションが実現される。また、この製造方法によっても、イルミネーションを構成する部品点数や部品構成を簡素化でき、製造コストを低コスト化できる。
【０１４３】
〔第８の実施の形態〕
【０１４４】
第８の実施の形態は、携帯電話機の外装部材にイルミネーションユニット２Ｃ（第３の実施の形態）を備えた構成である。
【０１４５】
この第８の実施の形態について、図２７を参照する。図２７は、携帯電話機を示す分解斜視図である。図２７に示す構成は一例であって、斯かる構成に本発明が限定されるものではない。図２７において、図７と同一部分には同一符号を付してある。
【０１４６】
この実施の形態の携帯電話機４０には図２７に示すように、ケース部４８Ｃが用いられる。このケース部４８Ｃは、ケース本体部７８Ｃと、外装パネル部１４６とが用いられる。外装パネル部１４６は、既述のエリア部５０に対応し、ケース本体部７８Ｃの外装パネル固定部１４８に固定され、ケース部４８Ｃを構成する。このケース部４８Ｃを用いた場合にも、図５に示すように、携帯電話機４０を構成することができ、図６に示すように、同様にイルミネーションを生成させることができる。なお、外装パネル部１４６は、ケース本体部７８Ｃに着脱可能に固定し、必要に応じて交換可能としてもよい。
【０１４７】
また、この実施の形態において、回路基板６８（図８）の構成、ＬＥＤ６４ａ、６４ｂ、６４ｃ・・・６４ｌの配置やサブディスプレイ部６２の配置等は、第４の実施の形態と同様である。
【０１４８】
〔ケース本体部７８Ｃ〕
【０１４９】
ケース本体部７８Ｃについて、図２８及び図２９を参照する。図２８は、図２７のXXVIII−XXVIII線断面図、図２９は、図２７のXXIX−XXIX線断面図である。
【０１５０】
ケース本体部７８Ｃのエリア部５０は、既述の導光拡散部６Ｃ（図４）を構成し、例えば、透明な合成樹脂の成形体である。図２８に示すように、エリア部５０には外装パネル部１４６を固定するための外装パネル固定部１４８が形成されている。また、エリア部５４にはケース本体部７８Ｃの上面部に半透明部９８が形成されている。
【０１５１】
また、エリア部５２、５６について、図２９を参照すると、エリア部５２にはケース本体部７８Ｃの上面部に半透明部１００が形成され、エリア部５６には遮光部１０２が形成されている。半透明部１００は、半透明部９８と同様に蒸着や印刷等による着色層である。
【０１５２】
その他、このケース本体部７８Ｃを含むケース部４８Ｃの構成は、第４の実施の形態と同様であるので、同一符号を付し、その説明を省略する。
【０１５３】
〔外装パネル部１４６〕
【０１５４】
外装パネル部１４６について、図３０、図３１及び図３２を参照する。図３０は、外装パネル部を示す図、図３１は、背面側から見た外装パネル部を示す図、図３２は、図３０のXXXII −XXXII 線断面図である。
【０１５５】
この外装パネル部１４６は、例えば、透明な合成樹脂の成形体であって、第４の実施の形態におけるエリア部５０に対応する。即ち、外装パネル部１４６は、ケース本体部７８Ｃと独立した部品であって、既述の選択透光部８Ｃ（図４）、導光部材１５（図４）及び選択遮光部１４Ｂ（図４）に相当する。
【０１５６】
この外装パネル部１４６は図３２に示すように、心材としてパネル本体部１５０を備える。このパネル本体部１５０は導光部材１５（図４）に対応する。このパネル本体部１５０の外面部にはハーフミラー部１５２が形成され、このハーフミラー部１５２は、光を選択的に透過する手段（選択透光部８Ｃ）の一例であり、例えば、ハーフミラー材料の蒸着によって形成され、外見上黒色を成している。
【０１５７】
また、この外装パネル部１４６の背面部には図３１及び図３２に示すように、選択遮光部１４Ｂが形成されている。この選択遮光部１４Ｂは既述の透光部１８ａ、１８ｂ、１８ｃ・・・１８ｏと、既述の遮光部１６とが形成されている。これら透光部１８ａ、１８ｂ、１８ｃ・・・１８ｏ及び遮光部１６は、抜き印刷、塗装又は蒸着によって形成すればよい。
【０１５８】
〔イルミネーションユニット２Ｃ及びイルミネーションの生成〕
【０１５９】
イルミネーションユニット及びイルミネーションの生成について、図３３、図３４及び図３５を参照する。図３３は、携帯電話機の断面図、図３４は、携帯電話機の発光形態を示す図、図３５は、イルミネーションの生成を示す図である。
【０１６０】
この実施の形態の携帯電話機４０は、ケース本体部７８Ｃと外装パネル部１４６とを合体させた既述のケース部４８Ｃを備え、図３３に示すように、イルミネーションユニット２Ｃが構成される。このようなイルミネーションユニット２Ｃを備えれば、図３４に示すように、ＬＥＤ６４が発光すると、その光１０がケース本体部７８Ｃに入射する。
【０１６１】
このケース本体部７８Ｃは導光拡散部６Ｃ（図４）を構成しているから、図３５に示すように、光１０を屈折、反射を繰り返しながら導光し、その光１０を拡散して発光させる。この発光状態により、光１０が外装パネル部１４６の選択遮光部１４Ｂの透光部１８ａ、１８ｂ、１８ｃ・・・１８ｏを通過し、遮光部１６で遮断される。外装パネル部１４６では、透光部１８ａ、１８ｂ、１８ｃ・・・１８ｏを通過した光１０をパネル本体部１５０で導光し、その光１０をハーフミラー部１５２（８Ｃ）から表出させている。
【０１６２】
この結果、ハーフミラー部１５２の表面部（エリア部５０）には、選択遮光部１４Ｂにより、シルエット２０ａ、２０ｂ、２０ｃ・・・２０ｏ（図１９）が表出し、イルミネーションが生成される。
【０１６３】
この実施の形態においても、光１０が屈折、反射を繰り返しながら導光され、拡散してケース本体部７８Ｃが均一な発光状態となり、外装パネル部１４６も同様に均一な発光状態となるので、各シルエット２０ａ、２０ｂ、２０ｃ・・・２０ｏは均一な明るさで表出される。
【０１６４】
なお、この実施の形態の携帯電話機４０のハードウェア構成は、第４の実施の形態（図２０）と同様であるので、その説明を省略する。
【０１６５】
〔第９の実施の形態〕
【０１６６】
第９の実施の形態は、第８の実施の形態に示す携帯電話機４０（図２７〜図３５）の製造方法である。
【０１６７】
この第９の実施の形態について、図３６及び図３７を参照する。図３６は、製造工程を示すフローチャート、図３７は、製造工程の処理の一例を示す図である。図３６及び図３７に示す構成は一例であって、斯かる構成に本発明が限定されるものではない。
【０１６８】
この製造工程には、図３６に示すように、ケース本体部７８Ｃの形成工程（ステップＳ３１）、外装パネル部１４６のパネル本体部１５０及び選択遮光部１４Ｂの形成工程（ステップＳ３２）、ハーフミラー部１５２の形成工程（ステップＳ３３）、ケース部４８Ｃの形成工程（ステップＳ３４）、組立工程（ステップＳ３５）が含まれる。
【０１６９】
Ａ）ケース本体部７８Ｃの形成工程（ステップＳ３１）
【０１７０】
このケース本体部７８Ｃの形成工程では、図３７の（Ａ）に示すように、導光性材料として透明な例えば、アクリル等の合成樹脂を成形し、ケース本体部７８Ｃを形成する。このケース本体部７８Ｃは一体成形加工により形成し、その形状は図２８に示した通りである。導光性材料である樹脂内には、光を拡散させる拡散剤を混入させれば、光拡散性を高めることができ、均等に発光させることができる。また、ケース本体部７８Ｃは、樹脂に着色材料を混入させ、有色化すれば、発光色や発光輝度を調整できる。
【０１７１】
Ｂ）外装パネル部１４６のパネル本体部１５０及び選択遮光部１４Ｂの形成工程（ステップＳ３２）
【０１７２】
この外装パネル部１４６の形成工程では、図３７の（Ｂ）に示すように、導光性材料として透明な例えば、アクリル等の合成樹脂を成形し、外装パネル部１４６のパネル本体部１５０を形成する。このパネル本体部１５０は一体成形加工により形成し、その形状は図３０、図３２に示した通りである。この場合、導光性材料である樹脂内には、光を拡散させる拡散剤を混入させれば、光拡散性を高めることができ、均等に発光させることができる。また、外装パネル部１４６のパネル本体部１５０は、樹脂に着色材料を混入させ、有色化すれば、発光色や発光輝度を調整できる。
【０１７３】
また、パネル本体部１５０の裏面部に選択遮光部１４Ｂを形成する。遮光材料は、遮光インク、遮光塗料、金属等の遮光性を備えたものであればよい。遮光インクであれば印刷により、遮光塗料であれば塗装により、金属であれば蒸着等の処理を行えばよい。このように、選択遮光部１４Ｂを形成することにより、外装パネル部１４６の裏面部には遮光部１６と、複数の透光部１８とが形成される。透光部１８は、透光部１８ａ、１８ｂ、１８ｃ・・・１８ｏに対応する。即ち、透光部１８により光を透過し、遮光部１６で光を遮光する。よって、選択遮光部１４Ｂの形成は、外装パネル部１４６に光選択性を付与する処理である。
【０１７４】
Ｃ）ハーフミラー部１５２の形成工程（ステップＳ３３）
【０１７５】
このハーフミラー部１５２の形成工程は、図３７の（Ｃ）に示すように、透明材料を用いて外装パネル部１４６の表面部にハーフミラー部１５２を形成する。このハーフミラー部１５２は、外光を反射し又は外光の通過を抑制し、外装パネル部１４６から導かれた光を透過させる機能層であるとともに、表面保護層を構成する。外光を反射するとともに、外装パネル部１４６からの光を透過させる場合には、ハーフミラー部１５２は、ハーフミラー材料の塗装又は印刷を行えばよい。ハーフミラー部１５２に代え、光の抑制機能のみであれば、着色塗料の印刷又は塗装による有色層で構成してもよい。
【０１７６】
Ｄ）ケース部４８Ｃの形成工程（ステップＳ３４）
【０１７７】
ケース部４８Ｃの形成工程では、図３７の（Ｄ）に示すように、ケース本体部７８Ｃと外装パネル部１４６とを結合させ、ケース部４８Ｃを形成する。ケース本体部７８Ｃには、成形によって外装パネル固定部１４８（図２８）が形成されているので、この外装パネル固定部１４８に外装パネル部１４６を固定することにより、ケース部４８Ｃが得られる。
【０１７８】
Ｅ）組立工程（ステップＳ３５）
この組立工程では、図３７の（Ｅ）に示すように、表示側筐体部４４の背面部にケース部４８Ｃを取り付け、携帯電話機４０を組み立てる。表示側筐体部４４には予め回路基板６８が設置され、この回路基板６８には既述のＬＥＤ６４が設置されており、各ＬＥＤ６４が遮光部１６側に設置される。ＬＥＤ６４は、既述のＬＥＤ６４ａ、６４ｂ、６４ｃ・・・６４ｌに対応する。
【０１７９】
このような組立を経て携帯電話機４０が製造され、この携帯電話機４０には、ＬＥＤ６４の発光と、ケース部４８Ｃに選択遮光部１４Ｂの透光部１８と遮光部１６の光選択性とにより、既述のシルエット２０ａ、２０ｂ、２０ｃ・・・２０ｏの表出により、イルミネーションを生成することができる。また、この製造方法によっても、イルミネーションを構成する部品点数や部品構成を簡素化でき、製造コストを低コスト化できる。
【０１８０】
〔他の実施の形態〕
【０１８１】
(1) 上記実施の形態（図４）では、選択透光部８Ｃと選択遮光部１４Ｂとの間に導光部材１５を設置したが、この導光部材１５に代え、図３８に示すように、導光拡散部６Ｄを設置してもよい。この場合、選択遮光部１４Ｂを通過させた光を導光拡散部６Ｄで導光拡散させて選択透光部８Ｃに表出させることができる。
【０１８２】
(2) 上記実施の形態では、ＬＥＤ６４ａ、６４ｂ、６４ｃ・・・６４ｌと透光部１８ａ、１８ｂ、１８ｃ・・・１８ｏとを異なる位置に設定したが、異なる位置に限定されない。例えば、図３９に示すように、ＬＥＤ６４ａ、６４ｂ、６４ｃ・・・６４ｏと透光部１８ａ、１８ｂ、１８ｃ・・・１８ｏとを同一位置即ち、透光部側に設定してもよい。このように構成しても、導光拡散部６Ａ、６Ｂ、６Ｃが設置されているので、光の拡散及び発光により、各透光部１８ａ、１８ｂ、１８ｃ・・・１８ｏを通過する光を均一化できる。このため、均一な発光状態となるシルエット２０ａ、２０ｂ、２０ｃ・・・２０ｏを表出させることができる。
【０１８３】
(3) 上記実施の形態では、ケース部４８Ａ、４８Ｂ、４８Ｃ又はケース部４８Ｃの一部である外装パネル部１４６の外面部をフラット面としているが、このようなフラット面に限定されない。例えば、ケース部４８Ｂでは、図４０に示すように、規則的な凹凸面１５４を形成し、光の屈折や反射によって光の拡散を生じる構成としてもよく、また、このような凹凸面１５４を持つ導光拡散パネル部を設置してもよい。このような構成とすれば、イルミネーションの装飾性を高め、イルミネーションのバリエーションを拡大できる。
【０１８４】
(4) 上記実施の形態では、イルミネーションユニットを備えた機器として携帯電話機４０を例示したが、本開示のイルミネーションユニット、機器及びその製造方法は、このような携帯機器に限定されない。本開示のイルミネーションユニット、機器及びその製造方法は、パーソナルコンピュータ（ＰＣ）２００（図４１、図４２）、携帯情報端末機（ＰＤＡ：Personal Digital Assistant）３００（図４３）等、各種の機器に適用できる。
【０１８５】
(5) ＰＣ２００は、図４１に示すように、キーボード側筐体部２０２と、表示側筐体部２０４とをヒンジ部２０６で連結し、開閉可能である。表示側筐体部２０４には、既述のシルエット２０ｘ、２０ｙ、２０ｚが表出され、イルミネーションが生成される。この場合、ＰＣ２００には、図４２に示すように、ケース部２０８には既述の導光拡散部６Ｂを基材とし、その表面に選択遮光部１４Ａが設置され、この選択遮光部１４Ａの表面にハーフミラー部２１０（選択透光部８Ｂ）が形成されている。選択遮光部１４Ａには、遮光部１６と透光部１８とが形成され、表示側筐体部２０４の回路基板６８にはＬＥＤ６４ｘ、６４ｙが配置されている。このように、ＰＣ２００においても同様のイルミネーションユニット２Ｂを構成することができる。また、既述のイルミネーションユニット２Ａ、２Ｃを構成してもよい。従って、ＬＥＤ６４ｘ、６４ｙを発光させれば、導光拡散部６Ｂの導光及び拡散により、選択遮光部１４Ａの通過及び遮断により光のシルエット２０ｘ、２０ｙ、２０ｚを表出させ、イルミネーションを実現できる。
【０１８６】
(6) また、ＰＤＡ３００においても既述のイルミネーションユニット２Ａ、２Ｂ、２Ｃを構成してもよい。例えば、イルミネーションユニット２Ｂ又は２Ｃによれば、図４３に示すように、前面パネル部３０２のハーフミラー部にシルエット２０ｘ、２０ｙ、２０ｚを表出させ、イルミネーションを実現させることができる。
【０１８７】
次に、以上述べた実施の形態に関し、更に以下の付記を開示する。以下の付記に本発明が限定されるものではない。
【０１８８】
（付記１）  単一又は複数の光源と、
前記光源の光を導光し拡散させる導光拡散部と、
外光を反射し又は外光の通過を抑制し、前記導光拡散部から導かれる光を透過させる選択透光部と、
を備え、前記導光拡散部から導かれた光を前記選択透光部に表出させることを特徴とする、イルミネーションユニット。
【０１８９】
（付記２）  更に、光を選択的に透過し又は遮光する選択遮光部と、
を備え、前記選択遮光部の光透過又は遮光により前記選択透光部にシルエットを表出させることを特徴とする、付記１に記載のイルミネーションユニット。
【０１９０】
（付記３）  更に、前記導光拡散部と前記選択透光部との間に、
前記導光拡散部から導かれた光を選択的に透過させ又は遮光する選択遮光部と、
この選択遮光部を通過した光を前記導光拡散部に導く導光部材と、
を備えたことを特徴とする、付記１に記載のイルミネーションユニット。
【０１９１】
（付記４）  前記選択透光部は、外光を反射し又は前記導光拡散部から導かれた光を透過するハーフミラーであることを特徴とする、付記１に記載のイルミネーションユニット。
【０１９２】
（付記５）  前記選択遮光部は、光を透過させる透光部と、遮光する遮光部とを備えることを特徴とする、付記２又は付記３に記載のイルミネーションユニット。
【０１９３】
（付記６）  前記光源は、前記選択遮光部の遮光側に設置されたことを特徴とする、付記１に記載のイルミネーションユニット。
【０１９４】
（付記７）  単一又は複数の光源と、
筐体の表面部に設置され、前記光源の光を導光し拡散する導光拡散部と、
外光を反射し又は外光の通過を抑制し、前記導光拡散部から導かれた光を透過させる選択透光部と、
を備え、前記導光拡散部から導かれる光を前記筐体の表面部に表出させることを特徴とする、機器。
【０１９５】
（付記８）  光源の光を導光し拡散させる導光拡散部を形成する工程と、
外光を反射し又は外光の通過を抑制し、前記導光拡散部から導かれた光を透過させる選択透光部を形成する工程と、
を含むことを特徴とする、機器の製造方法。
【０１９６】
以上説明したように、イルミネーションユニット、機器及びその製造方法の実施の形態について説明したが、本発明は、上記記載に限定されるものではなく、特許請求の範囲に記載され、又は発明を実施するための形態に開示された発明の要旨に基づき、当業者において様々な変形や変更が可能であることは勿論であり、斯かる変形や変更が、本発明の範囲に含まれることは言うまでもない。
【産業上の利用可能性】
【０１９７】
本開示のイルミネーションユニット、機器又はその製造方法によれば、機器内光源の光を導光拡散部で導光、拡散し、その光をケース部に表出させ、又は選択的な光透過によりケース部にシルエットを表出させることにより、機器の表面部にイルミネーションを生成できる。これにより、携帯電話機等の各種機器の光による豊かな外面装飾が得られ、機器の商品性や利便性を高め、有用である。
【符号の説明】
【０１９８】
２Ａ、２Ｂ、２Ｃ  イルミネーションユニット
４  光源
６Ａ、６Ｂ、６Ｃ、６Ｄ  導光拡散部
８Ａ、８Ｂ、８Ｃ  選択透光部
１０  光
１２  外光
１４Ａ、１４Ｂ  選択遮光部
１５  導光部材
１６  遮光部
１８、１８ａ、１８ｂ、１８ｃ・・・１８ｏ  透光部
２０、２０ａ、２０ｂ、２０ｃ・・・２０ｏ  シルエット
４０  携帯電話機
６４、６４ａ、６４ｂ、６４ｃ・・・６４ｌ  ＬＥＤ
７８Ａ、７８Ｂ、７８Ｃ  ケース本体部
９６、１３８  ハーフミラー部
【図１】
2011060594.tif 000003
【図２】
2011060594.tif 000004
【図３】
2011060594.tif 000005
【図４】
2011060594.tif 000006
【図５】
2011060594.tif 000007
【図６】
2011060594.tif 000008
【図７】
2011060594.tif 000009
【図８】
2011060594.tif 000010
【図９】
2011060594.tif 000011
【図１０】
2011060594.tif 000012
【図１１】
2011060594.tif 000013
【図１２】
2011060594.tif 000014
【図１３】
2011060594.tif 000015
【図１４】
2011060594.tif 000016
【図１５】
2011060594.tif 000017
【図１６】
2011060594.tif 000018
【図１７】
2011060594.tif 000019
【図１８】
2011060594.tif 000020
【図１９】
2011060594.tif 000021
【図２０】
2011060594.tif 000022
【図２１】
2011060594.tif 000023
【図２２】
2011060594.tif 000024
【図２３】
2011060594.tif 000025
【図２４】
2011060594.tif 000026
【図２５】
2011060594.tif 000027
【図２６】
2011060594.tif 000028
【図２７】
2011060594.tif 000029
【図２８】
2011060594.tif 000030
【図２９】
2011060594.tif 000031
【図３０】
2011060594.tif 000032
【図３１】
2011060594.tif 000033
【図３２】
2011060594.tif 000034
【図３３】
2011060594.tif 000035
【図３４】
2011060594.tif 000036
【図３５】
2011060594.tif 000037
【図３６】
2011060594.tif 000038
【図３７】
2011060594.tif 000039
【図３８】
2011060594.tif 000040
【図３９】
2011060594.tif 000041
【図４０】
2011060594.tif 000042
【図４１】
2011060594.tif 000043
【図４２】
2011060594.tif 000044
【図４３】
2011060594.tif 000045